(57)【要約】プリプレスワークフローシステムにおいてジョブを処理するためにユーザーインターフェースを調整する方法であって、（ａ）ジョブの形式をチェックし、更に（ｂ）このジョブの形式に応じてユーザーインターフェースを自動的に調整することを含む方法である。【特許請求の範囲】
【請求項１】
プリプレスワークフローシステムにおいてジョブを処理するためにユーザーインターフェースを調整する方法であって、
−前記ジョブのジョブ形式をチェックし、
−前記ジョブ形式に応じて前記ユーザーインターフェースを自動的に調整する
段階を含んだ方法。
【請求項２】
前記ジョブ形式が、コマーシャル印刷産業のためのジョブ形式及びパッケージング印刷産業のためのジョブ形式のグループから選定される請求項１による方法。
【請求項３】
−前記ジョブ形式に応じて前記ユーザーインターフェースのレイアウトを自動的に調整する
段階を更に含む先行請求項のいずれか一つによる方法。
【請求項４】
−前記ユーザーインターフェースにおける前記ジョブ形式のための適切な用語を自動的に調整する
段階を更に含む先行請求項のいずれか一つによる方法。
【請求項５】
−前記ジョブ形式用のパラメーターを設定し、
−前記パラメーターに応じて前記ユーザーインターフェースにおいて特定のデータを表示する
段階を更に含む先行請求項のいずれか一つによる方法。
【請求項６】
−前記ジョブ形式用の入力データを受け取り、
−前記入力データの起源をチェックし、
−前記起源に基づいて前記ジョブ形式を決定する
ことを更に含む請求項１ないし５のいずれか一つによる方法。
【請求項７】
−前記ジョブに関するデータの特性をチェックし、
−前記特性に基づいて前記ジョブ形式を決定する
ことを更に含む請求項１ないし５のいずれか一つによる方法。
【請求項８】
−ユーザーにより前記ジョブ形式を決定し、
−前記決定されたジョブ形式を記憶する
ことを更に含み、
前記記憶する段階が、前記ジョブ形式をチェックする前記段階に先行する請求項１ないし５のいずれか一つによる方法。
【請求項９】
−新しいジョブ形式を作り、
−前記プリプレスワークフローシステムにおける前記新しいジョブ形式のジョブを処理するためにユーザーにより新しいユーザーインターフェースを定める
諸段階を更に含む先行請求項のいずれか一つによる方法。
【請求項１０】
請求項１ないし９のいずれか一つによる方法の諸段階を実行するための手段を備えたデータ処理システム。
【請求項１１】
プログラムがコンピューター上で走っているときに請求項１ないし９のいずれか一つによる方法の諸段階を実行するようにされたコンピュータープログラムコード手段を備えるコンピュータープログラム。
【請求項１２】
コンピューター上で走っているときに請求項１ないし９のいずれか一つによる方法を実行するようにされたプログラムコードを備えたコンピューター可読の媒体。
【発明の詳細な説明】
【技術分野】
【０００１】
本発明は、プリプレスワークフローシステムに分野に関し、特にかかるシステムにおけるユーザーインターフェースに関する。
【背景技術】
【０００２】
ユーザーインターフェース（ＵＩ）は、ユーザーにコンピューターとの情報交換を許す手段である。ユーザーインターフェースは、ディスプレイに接続されたコンピューター上を走っているコンピュータープログラムの手段により実行することができる。ユーザーは、ディスプレイ上に示されるメニュー又はアイコンのグループから選択するために典型的にマウスを使用することによりコンピューターと情報交換をすることができる。
【０００３】
プリプレスワークフローソフトウエアのユーザーインターフェースは、プリプレスワークフローシステムの管理下でジョブに関して決定された情報を与える（ジョブは、特定の命令に従った１組の文書ページの処理を意味する）。このユーザーインターフェースは、幾つかの機能を持つ。これはジョブの状態、即ち、どのジョブが行われているか、プリプレスのどの仕事が実行されているかを示すことができる。異なるジョブのパラメーターを設定し変えることができる。システム全般のパラメーター（例えば、フォント、キャリブレーションカーブ）を追加し、変更し、あるいは削除することが可能である。中間結果及びプレビューを示すことができる。
【０００４】
従来技術のプリプレスワークフローソフトウエアにおいては、ＵＩレイアウトは静的であり、このためパラメーターが変化しても、これらパラメーターの視覚的表現は同じままに留まる。
【０００５】
特許文献１において明らかにされたプリプレスワークフローシステムは、かかるユーザーインターフェースを使用する。
【特許文献１】ＷＯ  ０１／２５９０７号  明細書
【発明の開示】
【発明が解決しようとする課題】
【０００６】
プリプレスワークフローシステムにおいてコンピューターと情報交換するための改良されたシステム及び方法に対する要求がなおある。
【課題を解決するための手段】
【０００７】
本発明は、独立請求項１において請求されるようなプリプレスワークフローシステムにおいてジョブを処理するためにユーザーインターフェースを調整する方法である。本発明の好ましい方法は、従属請求項において説明される。本発明による方法は、請求項１１において請求されるようなコンピュータープログラムにより実行されることが好ましい。
【０００８】
本発明においては、プリプレスワークフロー管理システムのＵＩ表現は、処理されるジョブの形式に従って自動的に調整される。同じソフトウエアバージョンが、パッケージング印刷産業用及びコマーシャル印刷産業用のような異なる応用領域（又は市場分野）のための異なるＵＩ表現を含む。与えられた応用分野についてのＵＩ表現が、ジョブの形式に応じてソフトウエアにより自動的に可視化される。
【０００９】
このことは、ソフトウエアが特定の各市場分野用について編集され、従って異なる各市場分野に対して異なるソフトウエアバージョンがある従来技術の種々の市場分野用のプリプレスソフトウエアとは逆である。これらソフトウエアバージョンの各は、システムに入ってくるすべてのジョブに対してそれぞれ固定された専用のＵＩ表現を使用する。種々のソフトウエアバージョンの各は、目標市場に応じた異なったＵＩ表現を持つ。
【００１０】
本発明の長所は、種々の市場分野用の種々のソフトウエアバージョンの代わりに、だた一つのソフトウエア製品しか必要でないことである。
【００１１】
本発明においては、処理されるジョブの形式が調査され、そしてワークフロー管理システムのユーザーインターフェースがジョブの形式に応じて自動的に調整される。そこで、ＵＩは状況に基づくものとなる。長所は、異なるＵＩ表現により、ワークフローシステムにより異なる形式のジョブ（例えば、コマーシャル印刷用。及びパッケージング印刷用）を同時になし得ることである。
【００１２】
本発明の実施例の更なる長所は、以下の説明から明らかになるであろう。
【発明を実施するための最良の形態】
【００１３】
本発明においては、１回又は複数回の設定により、ジョブ自体がＵＩを定めることが好ましい。これは以下のような種々の方法で具体化することができる。
【００１４】
本発明の第１の実施例においては、ジョブの形式は、そのジョブに対する入力データの起因を調べることにより決定される。ジョブのための文書を定めている入力データが、ある特定の市場分野向けの（例えば、コマーシャル印刷市場分野のための組付け用パッケージであるScenicSoftからのソフトウエアパッケージPrepsＴＭのような）ソフトウエアパッケージに由来する場合は、そのジョブの形式はこの特定の市場分野であるとする。作られたジョブ内の、ジョブ形式（例えば、「コマーシャル印刷」）を定めているパラメーターが設定される。従って、ジョブ形式はジョブ内で定められる。後続段階において、ジョブ形式はこのパラメーターを読むことによりチェックされ、次いでユーザーインターフェースが、このジョブ形式に従って調整される。先行段階におけるジョブ内のこのパラメーターの設定は、ワークフローシステムのいわゆる入力チャンネルの手段により行うことができる。この入力チャンネルは、文書のようなデータを、ワークフローシステム内に入れる入力機構であり、入力チャンネルはアグファのApogeeＴＭワークフローソフトウエア製品において使用される。例えば、ワークフローシステムの入力チャンネルがデータを受け取るとき、入力チャンネルは、ジョブを作りかつジョブ形式を定めるようにパラメーターを設定することができ、続いてこれがカレントＵＩ表現を定めるであろう。ある特定の入力チャンネルが（コマーシャル印刷のような）１形式のジョブだけに使用されるように、異なるジョブ形式に関連したデータに対して異なる入力チャンネルを使うことができる。次いで、特定入力チャンネルがジョブ形式を定めるパラメーターを設定し、続いてこれがＵＩ表現を定めるであろう。
【００１５】
本発明の第２の実施例においては、プリプレスワークフローソフトウエアが、ジョブ形式を定めるためにジョブに関連した一つ又は複数の特性をチェックする。このデータがステップ及び繰り返しの命令を含む場合は、ジョブは、パッケージング形式のジョブであり、一方、ページの存在はコマーシャル印刷のためのジョブを示すとする。
【００１６】
本発明の第３の実施例においては、例えば、最初のジョブ定義中に、ユーザーがジョブ形式を定める。こうして定められたジョブ形式が記憶される。続く段階において、記憶されたジョブがチェックされ、このジョブ形式に基づいてユーザーインターフェースが調整される。
【００１７】
これら実施例は、本発明においてＵＩが、いかにしてジョブ自体により定められるかを示す。
【００１８】
本発明の別の実施例においては、新しいジョブ形式を作るときに、ユーザーが、このジョブ形式に対する正しいＵＩ表現を定める。
【００１９】
ワークフロー管理システムのＵＩ表現は、処理されるジョブの形式に応じて自動的に調整される。この調整には、ユーザーインターフェースのレイアウトを含むことができる。この調整は、このジョブに、市場分野に対する適切な用語の使用及び／又はパラメーターの設定を含むことができる。これは、ユーザーにとって極めて便利である。
【００２０】
例えば、異なる用語を異なる印刷市場において使用することができる。人々は自分自身の用語で作業することに慣れているため、異なる印刷市場における異なる用語が同じ特徴又は機能を意味することも生ずる。コマーシャル印刷産業において、例えば、印刷されたページの横幅はページの数で表され、４アップ及び８アップのような用語が使用される。一方、パッケージング印刷産業においては、ページ表示は使用されず、狭いウェブ及び広いウェブのような用語が使用される。
【００２１】
ジョブ（又は、一般にジョブ形式）の市場分野に対するパラメーター調整の例は次のとおりである。特にジョブ形式に適したハーフトーンスクリーンのリストを表示するために、ジョブ形式に応じてパラメーターが設定される。パッケージング印刷については、フレキソ印刷に適したハーフトーンスクリーンのリストが表示され、一方、コマーシャル印刷に対しては、リストはオフセット印刷に適したハーフトーンスクリーンを含むであろう。従って、一般に、ジョブ形式に対するパラメーターが設定され、そしてこのパラメーターに依存して特別なデータがユーザーインターフェースに表示される。
【００２２】
本発明によるプリプレスワークフローソフトウエアは、コマーシャル印刷及びパッケージング印刷のような異なる市場分野のジョブ間で、ＵＩを動的に切り替えることが好ましい。これにより、異なる市場分野に対するかかるジョブは、これを同じソフトウエア製品により適宜の順序で扱うことができる。
【００２３】
本発明の別の利点は、異なるＵＩ表現が、ジョブ処理の速度又はタイミングに影響を与えないことである。
【００２４】
本発明の好ましい実施例を詳細に説明したが、本技術熟練者には、特許請求の範囲に定められた本発明の範囲から離れることなく多くの変更をなし得ることが明らかであろう。
【国際調査報告】
2005519362.tif 000002
2005519362.tif 000003
2005519362.tif 000004